(57)【要約】      （修正有）【課題】所定のサイズに統一された金属製スラブ型枠パネルを用いつつ、コンクリート構造物の側壁間を任意のサイズに施工することができるコンクリート型枠施工方法の提供。【解決手段】支保工支柱上の支柱上支持体と支柱間支持体１４に分割できるアルミ製スラブ型枠支保工と、アルミ製スラブ型枠パネル及び第２アルミ製スラブ型枠パネル３とを用いたコンクリート型枠施工方法において、各支柱間支持体１４の外側面に対し棧木６を支持する複数の第１アルミ製棧木受体４を着脱自在に取り付け、第１アルミ製スラブ型枠パネル又は第２アルミ製スラブ型枠パネル３の外側面に対し棧木６を支持する複数の第２アルミ製棧木受体を着脱自在に取り付け棧木６を掛渡し支持し、施工予定のコンクリート構造物における各側壁の取り合い型枠１５と棧木６との間に木製スラブ型枠パネル１０を敷設する。【選択図】図３
2014237973.tif 000002
【特許請求の範囲】
【請求項１】
支保工支柱上の支柱上支持体と支柱上支持体間の支柱間支持体に分割できる金属製スラブ型枠支保工と、金属製スラブ型枠支保工間に配置する長方形の金属製スラブ型枠パネルとを用いたコンクリート型枠施工方法において、
前記各支柱間支持体の外側面に対し棧木を支持する複数の第１金属製棧木受体を着脱自在に取り付け、
前記金属製スラブ型枠支保工間に配置した金属製スラブ型枠パネルの外側面に対し棧木を支持する複数の第２金属製棧木受体を着脱自在に取り付け、
前記第１金属製棧木受体及び第２金属製棧木受体にそれぞれ棧木を掛渡し支持し、
施工予定のコンクリート構造物における各側壁の取り合い型枠と前記棧木との間に木製スラブ型枠パネルを敷設することを特徴とするコンクリート型枠施工方法。
【請求項２】
請求項１記載のコンクリート型枠施工方法において、
前記支柱上支持体と支柱間支持体は断面略門型で、支柱間支持体はその両側壁外側面にはその長手方向に沿って中鍔片を有し、該中鍔片より上部の両側面には前記第１金属製棧木受体又は金属製スラブ型枠パネルを取り付けるための複数のジョイントピン挿通孔を有し、
前記第１金属製棧木受体及び第２金属製棧木受体は、前記棧木を上方から係合載置可能な断面略Ｌ字状で、その縦壁には前記第１金属製棧木受体に取り付けるための複数のジョイントピン挿通孔を有し、
前記第１金属製スラブ型枠パネルと第２金属製スラブ型枠パネルの長手方向両側壁には支柱間支持体への取り付け、又は第１金属製スラブ型枠パネル又は第２金属製スラブ型枠パネル同士を連結するための複数のジョイントピン挿通孔を有し、
前記第１金属製スラブ型枠パネルと第２金属製スラブ型枠パネルの幅方向両側壁面には第２金属製棧木受体の取り付け、又は第１アルミ製スラブ型枠パネル又は第２金属製スラブ型枠パネル同士を連結するための複数のジョイントピン挿通孔を有し、
前記各ジョイントピンの先端側には楔を圧入して抜け止めするための楔圧入孔を有していることを特徴とするコンクリート型枠施工方法。
【請求項３】
請求項１又は２に記載のコンクリート型枠施工方法において、
前記支柱上支持体と支柱間支持体の両側壁外側面下部には、支柱上支持体と支柱間支持体を接続するためのジョイントバー係合溝を有し、
前記支柱間支持体のジョイントバー係合溝の底面には、ロックピンを挿通するためのロックピン挿通孔を有し、
前記ジョイントバーの両端部にはロックピン挿通孔を有し、
前記各ロックピンの先端側には楔圧入孔を有していることを特徴とするコンクリート型枠施工方法。
【発明の詳細な説明】
【技術分野】
【０００１】
本発明は、支保工支柱上の部分と支保工支柱間の部分に分割できる金属製型枠支保工と、金属製型枠支保工間に配置する金属製スラブ型枠パネルと木製スラブ型枠パネルを用いたコンクリート型枠施工方法に関する。
【背景技術】
【０００２】
従来、支保工支柱上の部分と支保工支柱間の部分に分割できるアルミ製型枠支保工と、アルミ製型枠支保工間に配置するアルミ製スラブ型枠パネルによるコンクリート型枠施工方法として実用新案文献１、２に記載の技術が公知になっている。
この施工方法によると、アルミ製スラブ型枠パネルの強度により、支柱によるサポート本数が少なくてすむという利点がある。
【先行技術文献】
【特許文献】
【０００３】
【特許文献１】実用新案登録第３１７０６７６号公報
【特許文献２】実用新案登録第３１７０６７７号公報
【発明の概要】
【発明が解決しようとする課題】
【０００４】
しかしながら、従来例のコンクリート型枠施工方法にあっては、アルミ製型スラブ枠パネルが所定のサイズに統一されているため、コンクリート構造物の側壁間サイズの設計自由度が制限されるという問題点があった。
【０００５】
本発明の解決しようとする課題は、所定のサイズに統一された金属製スラブ型枠パネルを用いつつ、コンクリート構造物の側壁間を任意のサイズに施工することができるコンクリート型枠施工方法を提供することにある。
【課題を解決するための手段】
【０００６】
上記課題を解決するため請求項１記載のコンクリート型枠施工方法は、支保工支柱上の支柱上支持体と支柱上支持体間の支柱間支持体に分割できる金属製スラブ型枠支保工と、金属製スラブ型枠支保工間に配置する長方形の金属製スラブ型枠パネルとを用いたコンクリート型枠施工方法において、
前記各支柱間支持体の外側面に対し棧木を支持する複数の第１金属製棧木受体を着脱自在に取り付け、
前記金属製スラブ型枠支保工間に配置した金属製スラブ型枠パネルの外側面に対し棧木を支持する複数の第２金属製棧木受体を着脱自在に取り付け、
前記第１金属製棧木受体及び第２金属製棧木受体にそれぞれ棧木を掛渡し支持し、
施工予定のコンクリート構造物における各側壁の取り合い型枠と前記棧木との間に木製スラブ型枠パネルを敷設することを特徴とする手段とした。
【０００７】
また、請求項２記載のコンクリート型枠施工方法は、請求項１記載のコンクリート型枠施工方法において、
前記支柱上支持体と支柱間支持体は断面略門型で、支柱間支持体はその両側壁外側面にはその長手方向に沿って中鍔片を有し、該中鍔片より上部の両側面には前記第１金属製棧木受体又は金属製スラブ型枠パネルを取り付けるための複数のジョイントピン挿通孔を有し、
前記第１金属製棧木受体及び第２金属製棧木受体は、前記棧木を上方から係合載置可能な断面略Ｌ字状で、その縦壁には前記第１金属製棧木受体に取り付けるための複数のジョイントピン挿通孔を有し、
前記第１金属製スラブ型枠パネルと第２金属製スラブ型枠パネルの長手方向両側壁には支柱間支持体への取り付け、又は第１金属製スラブ型枠パネル又は第２金属製スラブ型枠パネル同士を連結するための複数のジョイントピン挿通孔を有し、
前記第１金属製スラブ型枠パネルと第２金属製スラブ型枠パネルの幅方向両側壁面には第２金属製棧木受体の取り付け、又は第１アルミ製スラブ型枠パネル又は第２金属製スラブ型枠パネル同士を連結するための複数のジョイントピン挿通孔を有し、
前記各ジョイントピンの先端側には楔を圧入して抜け止めするための楔圧入孔を有していることを特徴とする手段とした。
【０００８】
また、請求項３記載のコンクリート型枠施工方法は、請求項１又は２に記載のコンクリート型枠施工方法において、
前記支柱上支持体と支柱間支持体の両側壁外側面下部には、支柱上支持体と支柱間支持体を接続するためのジョイントバー係合溝を有し、
前記支柱間支持体のジョイントバー係合溝の底面には、ロックピンを挿通するためのロックピン挿通孔を有し、
前記ジョイントバーの両端部にはロックピン挿通孔を有し、
前記各ロックピンの先端側には楔圧入孔を有していることを特徴とする手段とした。
【発明の効果】
【０００９】
請求項１記載のコンクリート型枠施工方法では、上述のように、各支柱間支持体の外側面に対し棧木を支持する複数の第１金属製棧木受体を着脱自在に取り付け、金属製スラブ型枠支保工間に配置した金属製スラブ型枠パネルの外側面に対し棧木を支持する複数の第２金属製棧木受体を着脱自在に取り付け、第１金属製棧木受体及び第２金属製棧木受体にそれぞれ棧木を掛渡し支持し、施工予定のコンクリート構造物における各側壁の取り合い型枠と棧木との間に木製スラブ型枠パネルを敷設するようにしたことで、所定のサイズに統一された金属製スラブ型枠パネルを用いつつ、木製スラブパネルを寸法裁断するのみで、コンクリート構造物の側壁間を任意のサイズに施工することができるようになるという効果が得られる。
【００１０】
請求項２記載のコンクリート型枠施工方法では、上述のように、支柱上支持体と支柱間支持体は断面略門型で、支柱間支持体の両側壁外側面にはその長手方向に沿って中鍔片を有し、該中鍔片より上部の両側面には第１金属製棧木受体又は金属製スラブ型枠パネルを取り付けるための複数のジョイントピン挿通孔を有し、第１金属製棧木受体及び第２金属製棧木受体は、棧木を上方から係合載置可能な断面略Ｌ字状で、その縦壁には第１金属製棧木受体に取り付けるための複数のジョイントピン挿通孔を有し、金属製スラブ型枠パネルの長手方向両側壁には支柱間支持体への取り付け、又は金属製スラブ型枠パネル又は金属製スラブ型枠パネル同士を連結するための複数のジョイントピン挿通孔を有しているので、支柱間支持体の内側に金属製スラブ型枠パネルを、外側に第１金属製棧木受体をそれぞれジョイントピンと楔を用いてで容易かつ迅速に取り付け作業を行うことができる。
また、金属製スラブ型枠パネルの幅方向両側壁面には金属製棧木受体の取り付け、又は金属製スラブ型枠パネル又は金属製スラブ型枠パネル同士を連結するための複数のジョイントピン挿通孔を有しているので、金属製スラブ型枠パネルの幅方向側壁面に金属製棧木受体をジョイントピンと楔を用いてで容易かつ迅速に取り付け作業を行うことができる。
【００１１】
請求項３記載のコンクリート型枠施工方法では、上述のように、支柱上支持体と支柱間支持体の両側壁外側面には、支柱上支持体と支柱間支持体を接続するためのジョイントバー係合溝を有し、ジョイントバーの両端部にはロックピン挿通孔を有し、支柱間支持体のジョイントバー係合溝の底面には、ロックピンを挿通するためのロックピン挿通孔１４ｄを有し、支柱間支持体のジョイントバー係合溝の底面には、ロックピンを挿通するためのロックピン挿通孔を有し、各ロックピンの先端側には楔圧入孔を有しているので、２本のジョイントバーとロックピン及び楔を用いて支柱上支持体の両端又は一方端に支柱間支持体を容易かつ迅速に接続固定することができる。
【図面の簡単な説明】
【００１２】
【図１】実施例１のコンクリート型枠施工方法を示す平面図である。
【図２】実施例１のコンクリート型枠施工方法を示す側面図である。
【図３】図１のＳ３―Ｓ３線における要部拡大断面図である。
【図４】図１のＳ４―Ｓ４線における要部拡大断面図である。
【図５】図２のＡ部拡大図である。
【図６】図１のＳ６―Ｓ６線における要部拡大断面図である。
【図７】支柱上支持体を示す斜視図である。
【図８】支柱間支持体を示す斜視図である。
【図９】第１アルミ製スラブ型枠パネルを示す斜視図である。
【図１０】第２アルミ製スラブ型枠パネルを示す斜視図である。
【図１１】第１アルミ製棧木受体を示す斜視図である。
【図１２】第２アルミ製棧木受体を示す斜視図である。
【図１３】ジョイントバーを示す斜視図である。
【図１４】ジョイントピン及び楔を示す斜視図である。
【図１５】ロックピン及び楔を示す斜視図である。
【図１６】支柱間支持体とアルミ製棧木受体との連結を示す分解斜視図である。
【図１７】アルミ製スラブ型枠パネルとアルミ製棧木受体との連結を示す分解斜視図である。
【図１８】支柱上支持体と支柱間支持体との接続状態を示す斜視図である。
【発明を実施するための形態】
【００１３】
以下にこの発明の実施例を説明する。
【実施例１】
【００１４】
まず、この実施例１のコンクリート型枠施工方法を図面に基づいて説明する。
このコンクリート型枠施工方法では、図１〜  に示すように、アルミ製スラブ型枠支保工１と、第１アルミ製スラブ型枠パネル２と、第２アルミ製スラブ型枠パネル３と、第１アルミ製棧木受体４と、第２アルミ製棧木受体５と、棧木６と、ジョイントピン７と、ロックピン８と、楔９と、木製スラブ型枠パネル１０と、ジョイントバー１１が用いられる。
【００１５】
さらに詳述すると、前記アルミ製スラブ型枠支保工１は、支保工支柱１２上の支柱上支持体１３と支柱上支持体１３の両端又は一方端に接続する支柱間支持体１４とに分割形成されている。
【００１６】
支柱上支持体１３と支柱間支持体１４は断面略門型で、支柱間支持体１４の両側壁外側面にはその長手方向に沿って中鍔片１４ａを有し、該中鍔片１４ａより上部の両側面には第１アルミ製棧木受体２と、第１アルミ製スラブ型枠パネル２又は第２アルミ製スラブ型枠パネル３を取り付けるための複数のジョイントピン挿通孔１４ｂを有している。
【００１７】
前記支柱上支持体１３と支柱間支持体１４の両側壁外側面には、支柱上支持体１３と支柱間支持体１４を接続するためのジョイントバー係合溝１３ｂ、１４ｃを有している。
また、前記ジョイントバー１１の両端部には、ロックピン挿通孔１１ａを有している。
また、支柱間支持体１４のジョイントバー係合溝１４ｃ底面には、ロックピン８を挿通するためのロックピン挿通孔１４ｄを有している。
また、支柱上支持体１３の両側壁には、第１アルミ製スラブ型枠パネル２又は第２アルミ製スラブ型枠パネル３を取り付けるための複数のジョイントピン挿通孔１３ａを有している。
【００１８】
前記第１アルミ製スラブ型枠パネル２と第２アルミ製スラブ型枠パネル３の長手方向両側壁には、支柱間支持体１４への取り付け、又は第１アルミ製スラブ型枠パネル２又は第２アルミ製スラブ型枠パネル３同士を連結するための複数のジョイントピン挿通孔２１、３１を有している。
また、第１アルミ製スラブ型枠パネル２と第２アルミ製スラブ型枠パネル３の幅方向両側壁面には、第２アルミ製棧木受体５の取り付け、又は第１アルミ製スラブ型枠パネル２又は第２アルミ製スラブ型枠パネル３同士を連結するための複数のジョイントピン挿通孔２２、３２を有している。
また、第１金属製棧木受体４及び第２金属製棧木受体５は、棧木６を上方から係合載置可能な断面略Ｌ字状で、その縦壁には第１金属製棧木受体４に取り付けるための複数のジョイントピン挿通孔４１、５１を有している。
また、ジョイントピン７とロックピン８の先端側には、楔９を圧入して抜け止めするための圧入孔７１、８１を有している。
【００１９】
次に、この実施例１の作用を説明する。
この実施例１のコンクリート型枠施工方法では、以下の手順で型枠が施工される。
【００２０】
先ず、立設された各支保工支柱１２上に取り付けられた支柱上支持体１３の両端部又は一方端に支柱間支持体１３を接続してアルミ製スラブ支保工１を形成する。
接続には２本のジョイントバー１１、１１を用い、このジョイントバー１１、１１を支柱上支持体１３と支柱間支持体１３の両側面に形成されたジョイントバー係合溝１４ｃに係合させ、その両端部同士をロックピン８と楔９で着脱自在に連結固定する。
【００２１】
次に、各支柱間支持体１４の外側面に対し棧木６を支持する複数の第１アルミ製棧木受体４をジョイントピン７と楔９で着脱自在に取り付ける。
【００２２】
次に、アルミ製スラブ型枠支保工１、１間に配置した第１アルミ製スラブ型枠パネル２と第２アルミ製スラブ型枠パネル３を取り付ける。
第１アルミ製スラブ型枠パネル２と第２アルミ製スラブ型枠パネル３の取り付けは、ジョイントピン７と楔９で着脱自在に連結固定する。
支柱上支持体１３及び支柱間支持体１３と第１アルミ製スラブ型枠パネル２又は第２アルミ製スラブ型枠パネル３との連結も、ジョイントピン７と楔９で着脱自在に連結固定する。
【００２３】
次に、アルミ製スラブ型枠支保工１、１間に配置した第１アルミ製スラブ型枠パネル２及び第２アルミ製スラブ型枠パネル３の外側面に対し棧木６を支持する複数の第２アルミ製棧木受体５をジョイントピン７と楔９で着脱自在に取り付ける。
【００２４】
次に、第１アルミ製棧木受体４及び第２アルミ製棧木受体５にそれぞれ棧木６を掛渡し支持する。
【００２５】
次に、施工予定のコンクリート構造物における各側壁の取り合い型枠１５と棧木６との間に木製スラブ型枠パネル１０を敷設する。
以上で、コンクリート構造物のスラブ型枠施工を完了する。
【００２６】
次に、この実施例１の効果を説明する。
この実施例１のコンクリート型枠施工方法では、上述のように、各支柱間支持体１４の外側面に対し棧木６を支持する複数の第１アルミ製棧木受体４を着脱自在に取り付け、アルミ製スラブ型枠支保工１、１間に配置した第１アルミ製スラブ型枠パネル２又は第２アルミ製スラブ型枠パネル３の外側面に対し棧木６を支持する複数の第２アルミ製棧木受体５を着脱自在に取り付け、第１アルミ製棧木受体４及び第２アルミ製棧木受体５にそれぞれ棧木６を掛渡し支持し、施工予定のコンクリート構造物における各側壁の取り合い型枠１５と棧木６との間に木製スラブ型枠パネル１０を敷設するようにしたことで、所定のサイズに統一された第１アルミ製スラブ型枠パネル２又は第２アルミ製スラブ型枠パネル３を用いつつ、木製スラブパネル１０を寸法裁断するのみで、コンクリート構造物の側壁間を任意のサイズに施工することができるようになるという効果が得られる。
【００２７】
また、支柱上支持体１３と支柱間支持体１４は断面略門型で、支柱間支持体１４の両側壁外側面にはその長手方向に沿って中鍔片１４ａを有し、該中鍔片１４ａより上部の両側面には第１アルミ製棧木受体４又は第１アルミ製棧木受体４及び第２アルミ製棧木受体５を取り付けるための複数のジョイントピン挿通孔３１を有し、第１アルミ製棧木受体４及び第２アルミ製棧木受体５は、棧木６を上方から係合載置可能な断面略Ｌ字状で、その縦壁には第１アルミ製棧木受体４に取り付けるための複数のジョイントピン挿通孔２１、３１を有し、第１アルミ製棧木受体４及び第２アルミ製棧木受体５の長手方向両側壁には支柱間支持体１４への取り付け、又は第１アルミ製棧木受体４及び第２アルミ製棧木受体５又は第１アルミ製棧木受体４又は第２アルミ製棧木受体５同士を連結するための複数のジョイントピン挿通２２、３２を有しているので、支柱間支持体１４の内側に第１アルミ製棧木受体４又は第２アルミ製棧木受体５を、外側に第１アルミ製棧木受体４をそれぞれジョイントピン７と楔９を用いて容易かつ迅速に取り付け作業を行うことができる。
【００２８】
また、第１アルミ製棧木受体４及び第２アルミ製棧木受体５の幅方向両側壁面には第２アルミ製棧木受体５の取り付け、又は第１アルミ製棧木受体４及び第２アルミ製棧木受体５又は第１アルミ製棧木受体４又は第２アルミ製棧木受体５同士を連結するための複数のジョイントピン挿通孔４２、５２を有しているので、第１アルミ製棧木受体４及び第２アルミ製棧木受体５の幅方向側壁面に第２アルミ製棧木受体５をジョイントピン７と楔９を用いてで容易かつ迅速に取り付け作業を行うことができる。
【００２９】
また、支柱上支持体１３と支柱間支持体１４の両側壁外側面には、支柱上支持体１３と支柱間支持体１４を接続するためのジョイントバー係合溝１４ｃを有し、ジョイントバー１１の両端部にはロックピン挿通孔１１ａを有し、支柱間支持体１４のジョイントバー係合溝１４ｃの底面には、ロックピン８を挿通するためのロックピン挿通孔１１ａを有し、各ロックピン８の先端側には楔圧入孔７１を有しているので、２本のジョイントバー１１とロックピン８及び楔９を用いて支柱上支持体１３の両端又は一方端に支柱間支持体１４を容易かつ迅速に接続固定することができる。
【００３０】
以上本実施例を説明してきたが、本発明は上述の実施例に限られるものではなく、本発明の要旨を逸脱しない範囲の設計変更等があっても、本発明に含まれる。
【００３１】
例えば、実施例では、アルミを用いたが、アルミ合金その他の金属を用いることができる。
【００３２】
また、実施例では、楔により抜け止めする方式のジョイントピンとロックピンを用いたが、ボルト・ナット等、任意の連結手段を用いることができる。
【００３３】
また、実施例では、木製スラブ型枠パネルを用いたが、合板や合成樹脂板など、寸法裁断が容易な板材を用いることができる。
【符号の説明】
【００３４】
１  アルミ製スラブ型枠支保工
２  第１アルミ製スラブ型枠パネル
２１  ジョイントピン挿通孔
２２  ジョイントピン挿通孔
３  第２アルミ製スラブ型枠パネル
３１  ジョイントピン挿通孔
３２  ジョイントピン挿通孔
４  第１アルミ棧木受体
４１  ジョイントピン挿通孔
５  第２アルミ棧木受体
５１  ジョイントピン挿通孔
６  棧木
７  ジョイントピン
７１  圧入孔
８  ロックピン
８１  圧入孔
９  楔
１０  木製スラブ型枠パネル
１１  ジョイントバー
１１ａ  ロックピン挿通孔
１２  支保工支柱
１３  支柱上支持体
１３ａ  ジョイントピン挿通孔
１３ｂ  ジョイントバー係合溝
１４  支柱間支持体
１４ａ  中鍔片
１４ｂ  ジョイントピン挿通孔
１４ｃ  ジョイントバー係合溝
１４ｄ  ロックピン挿通孔
１５  取り合い型枠
１６  スラブコンクリート
【図１】
2014237973.tif 000003
【図２】
2014237973.tif 000004
【図３】
2014237973.tif 000005
【図４】
2014237973.tif 000006
【図５】
2014237973.tif 000007
【図６】
2014237973.tif 000008
【図７】
2014237973.tif 000009
【図８】
2014237973.tif 000010
【図９】
2014237973.tif 000011
【図１０】
2014237973.tif 000012
【図１１】
2014237973.tif 000013
【図１２】
2014237973.tif 000014
【図１３】
2014237973.tif 000015
【図１４】
2014237973.tif 000016
【図１５】
2014237973.tif 000017
【図１６】
2014237973.tif 000018
【図１７】
2014237973.tif 000019
【図１８】
2014237973.tif 000020